(57)【要約】　【課題】　発光管の端部の保持部材内への受け入れを容易にできる低圧水銀ランプ及び当該低圧水銀ランプの組み立て方法を提供する。　【解決手段】　発光管は、ガラス管の略中央で折り返され且つこの折り返し部の両側が旋回軸廻りに旋回して２重螺旋形状に形成され、発光管の端部は、旋回軸廻りに螺旋状に湾曲する。ホルダー６は、その底壁６１に発光管の端部を内部に受け入れるための受入口６３、６４を、発光管の端部に対応して備えると共に、受入口６３、６４の上流に発光管の端部寄り部分の外周に当接する案内溝６６、６７を発光管の端部の螺旋方向に沿って有している。そして、発光管が旋回軸廻りに回転したときに、発光管の端部が案内溝６６、６７に沿って受入口６３、６４へと案内される。　【選択図】　図３
2004071555.tif 000002
【特許請求の範囲】
【請求項１】
　発光管の少なくとも一方の端部を受入口から受け入れた状態で当該発光管を保持する保持部材を備える低圧水銀ランプであって、
　前記発光管の少なくとも一方の端部寄り部分は、その端部まで旋回軸廻りに旋回されており、前記保持部材は、発光管の組付け時において、前記発光管を前記旋回軸廻りに回転させたときに、前記少なくとも一方の端部を前記受入口まで案内規制する案内規制部を備えていることを特徴とする低圧水銀ランプ。
【請求項２】
　前記案内規制部は、前記少なくとも一方の端部寄り部分が旋回軸廻りに旋回する方向に沿って溝状に形成されていることを特徴とする請求項１に記載の低圧水銀ランプ。
【請求項３】
　前記案内規制部は、その横断面における溝形状が前記発光管の端部寄り部分の横断面における前記案内規制部側の周面の一部又は全部の形状と一致していることを特徴とする請求項２に記載の低圧水銀ランプ。
【請求項４】
　前記発光管の少なくとも１方の端部からは電極用のリード線が一対導出されていると共に、前記受入口は、前記旋回軸方向から見て開口するように形成され、前記保持部材は、前記開口から前記リード線を受け入れていることを特徴とする請求項１〜３の何れか１項に記載の低圧水銀ランプ。
【請求項５】
　前記開口は、前記受入口が前記旋回軸方向に対して２０°以上６０°以下の範囲の角度で傾斜することにより形成されていることを特徴とする請求項４に記載の低圧水銀ランプ。
【請求項６】
　前記保持部材は、受け入れた前記発光管の少なくとも一方の端部寄り部分を覆うカバー部を前記受入口の外周縁に連続して備え、前記開口は、前記カバー部及び／又は前記案内部に形成された切欠き部により形成されていることを特徴とする請求項４に記載の低圧水銀ランプ。
【請求項７】
　前記少なくとも一方の端部は、保持部材内で接着剤を介して固着されていることを特徴とする請求項１〜６の何れか１項に記載の低圧水銀ランプ。
【請求項８】
　前記案内規制部は、前記保持部材内に受け入れられた前記少なくとも一方の端部寄り部分との間に接着剤を注入するための注入孔を１以上有していることを特徴とする請求項７に記載の低圧水銀ランプ。
【請求項９】
　前記保持部材は、前記接着剤が流出するのを防止する防止壁を内部に有していることを特徴とする請求項７に記載の低圧水銀ランプ。
【請求項１０】
　前記保持部材は、前記一対のリード線を互いに間隔をおいて保持するための保持部を有していることを特徴とする請求項４〜９の何れか１項に記載の低圧水銀ランプ。
【請求項１１】
　前記発光管は、ガラス管の略中央で折り返され且つこの折り返し部の両側が旋回軸廻りに旋回する２重螺旋形状に形成されていることを特徴とする請求項１〜１０の何れか１項に記載の低圧水銀ランプ。
【請求項１２】
　少なくとも一方の端部寄り部分が旋回軸廻りに旋回する発光管と、前記少なくとも一方の端部を案内規制部に沿って受入口から受け入れて保持する保持部材とを備える低圧水銀ランプの組立て方法であって、
　前記発光管の少なくとも一方の端部の前記保持部材への組付けは、
　前記少なくとも一方の端部寄り部分の周面と保持部材の案内規制部とを当接させる工程と、
　前記当接した状態で前記発光管を前記受入口に対して前記旋回軸廻りに相対的に回転させる工程と
　を経てなされることを特徴とする低圧水銀ランプの組立て方法。
【請求項１３】
　前記発光管の端部からは電極用のリード線が導出されていると共に、前記保持部材の受入口は前記旋回軸方向から見て開口しており、前記発光管の一方の端部寄り部分の周面と保持部材の案内部との当接は、前記リード線が前記旋回軸方向と平行な状態で行われることを特徴とする請求項１２に記載の電球形蛍光ランプの組立て方法。
【発明の詳細な説明】
【技術分野】
【０００１】
　本発明は、発光管の少なくとも一方の端部を受入口から受け入れた状態で当該発光管を保持する保持部材を備える低圧水銀ランプ及び低圧水銀ランプの組立て方法に関する。
【背景技術】
【０００２】
　省エネルギー時代を迎え、低圧水銀ランプの開発が進められている。特に、白熱電球を代替する光源として蛍光ランプ、中でも、ランプ効率が高く長寿命な電球形蛍光ランプが注目されている。この電球形蛍光ランプには、例えば、端部から垂直に立ち上がった後に旋回軸廻りに旋回する２重螺旋形状に形成された発光管を備えたものがある（例えば、特許文献１）。
【０００３】
　この電球形蛍光ランプは、その全長が白熱電球よりも長く、白熱電球を使用している既存の灯具に電球形蛍光ランプを取り付けると、その一部が灯具から張り出してしまうという問題がある。そこで、本発明者らは、発光管の端部寄り部分を、垂直に立ち上げるのではなく、旋回軸廻りに旋回させて螺旋形状にすることで電球形蛍光ランプの全長を小さくした。これにより、電球形蛍光ランプは白熱電球と略同じ大きさにまで小型化された。
【０００４】
　図１６は、端部寄り部分が螺旋形状に湾曲する発光管を保持する保持部材を示した図である。この保持部材９０６は、同図に示すように、有底円筒形状であって、その底壁９６１に発光管の両端部を内部に受け入れるための一対の受入口９６３、９６４を有しており、この受入口９６３、９６４から挿入された発光管の両端部を接着剤により保持部材９０６の内側に固着して発光管を保持している。
【０００５】
　しかしながら、端部寄り部分が螺旋形状をした上記発光管を用いた電球形蛍光ランプでは、その全長を白熱電球と略同寸法にまで短くできたものの、発光管の一対の端部を保持部材９０６の受入口９６３、９６４に挿入するのが非常に難しいという問題がある。つまり、保持部材９０６に形成された受入口９６３、９６４は互いに反対向きであるため、発光管の一方の端部を受入口９６３に入れると、他方の端部が受入口９６４から外れてしまい、なかなか両方の端部を受入口９６３、９６４に挿入することができないのである。
【０００６】
　なお、受入口９６３、９６４を大きくすれば、発光管の両端部を受入口９６３、９６４に比較的容易に挿入できるが、各端部を保持部材９０６内で接着剤により固着する際に、その接着剤が受入口９６３、９６４から外側に流出して、見栄えが非常に悪くなるという問題がある。
【特許文献１】特開平９−１７３７８号公報
【発明の開示】
【発明が解決しようとする課題】
【０００７】
　本発明は、上記のような問題点を鑑みてなされたものであって、例えば、受入口を大きくせずに、発光管の端部を保持部材内に受け入れることが容易にできる低圧水銀ランプ及びこの低圧水銀ランプの組立て方法を提供することを目的とする。
【課題を解決するための手段】
【０００８】
　上記目的を達成するために、本発明に係る低圧水銀ランプは、発光管の少なくとも一方の端部を受入口から受け入れた状態で当該発光管を保持する保持部材を備える低圧水銀ランプであって、前記発光管の少なくとも一方の端部寄り部分は、その端部まで旋回軸廻りに旋回されており、前記保持部材は、発光管の組付け時において、前記発光管を前記旋回軸廻りに回転させたときに、前記少なくとも一方の端部を前記受入口まで案内規制する案内規制部を備えていることを特徴としている。この構成によれば、発光管の端部寄り部分を案内規制部に当接させた状態で、発光管を旋回軸廻りに回転させると、発光管の端部が保持部材の受入口から容易に受け入れられる。
【０００９】
　特に、前記案内規制部は、前記少なくとも一方の端部寄り部分が旋回軸廻りに旋回する方向に沿って溝状に形成されていることを特徴としている。このため、発光管の端部寄り部分は、発光管の姿勢を崩さずに安定した状態で保持部材の受入口へと案内される。
【００１０】
　更に、前記発光管の少なくとも１方の端部からは電極用のリード線が一対導出されていると共に、前記受入口は、前記旋回軸方向から見て開口するように形成され、前記保持部材は、前記開口から前記リード線を受け入れていることを特徴とし、特に、前記開口は、前記受入口が前記旋回軸方向に対して２０°以上６０°以下の範囲の角度で傾斜することにより形成されていることを特徴としている。この構成によれば、例えば、発光管を保持部材に組付ける前に、リード線を発光管の旋回軸方向と平行な状態にして、発光管を旋回軸方向から支持部材に近づけると、リード線は受入口から保持部材内へと容易に受け入れられる。
【００１１】
　また、前記保持部材は、受け入れた前記発光管の少なくとも一方の端部寄り部分を覆うカバー部を前記受入口の外周縁に連続して備え、前記開口は、前記カバー部及び／又は前記案内部に形成された切欠き部により形成されていることを特徴としている。この構成によれば、例えば、発光管を保持部材に組付ける前に、リード線を発光管の旋回軸方向と平行な状態にして、発光管を旋回軸方向から支持部材に近づけると、リード線は切欠き部から保持部材内へと容易に受け入れられる。
【００１２】
　一方、前記少なくとも一方の端部は、保持部材内で接着剤を介して固着されていることを特徴とし、更に、前記案内規制部は、前記保持部材内に受け入れられた前記少なくとも一方の端部寄り部分との間に接着剤を注入するための注入孔を１以上有していることを特徴とし、又は、前記保持部材は、前記接着剤が流出するのを防止する防止壁を内部に有していることを特徴としている。これにより、発光管は保持部材に強固且つ確実に保持される。
【００１３】
　更に、前記保持部材は、前記一対のリード線を互いに間隔をおいて保持するための保持部を有していることを特徴としている。このため、互いのリード線が間隔をおいて保持され、例えば、リード線同士が交差したり、絡んだりすることが少なくなる。
【００１４】
　しかも、前記発光管は、ガラス管の略中央で折り返され且つこの折り返し部の両側が旋回軸廻りに旋回する２重螺旋形状に形成されていることを特徴としている。この構成によれば、発光管の端部寄り部分が旋回軸と平行なものと比べて、発光管の全長を短くできる。
【００１５】
　発明の係る組立て方法は、少なくとも一方の端部寄り部分が旋回軸廻りに旋回する発光管と、前記少なくとも一方の端部を案内規制部に沿って受入口から受け入れて保持する保持部材とを備える低圧水銀ランプの組立て方法であって、前記発光管の少なくとも一方の端部の前記保持部材への組付けは、前記少なくとも一方の端部寄り部分の周面と保持部材の案内規制部とを当接させる工程と、前記当接した状態で前記発光管を前記受入口に対して前記旋回軸廻りに相対的に回転させる工程とを経てなされることを特徴としている。このため、発光管の保持部材への組付けが容易にできると共に、発光管の端部寄り部分の周面を案内規制部に当接させて回転させれば、発光管は保持部材内に受け入れられるので、この工程を自動化することも可能となる。
【００１６】
　また、前記発光管の端部からは電極用のリード線が導出されていると共に、前記保持部材の受入口は前記旋回軸方向から見て開口しており、前記発光管の一方の端部寄り部分の周面と保持部材の案内部との当接は、前記リード線が前記旋回軸方向と平行な状態で行われることを特徴としている。この構成によれば、リード線の先端と受入口とを旋回軸方向に略一致させた状態で発光管と保持部材とを当接させると、リード線を支持部材内に容易に受け入れすることができる。
【発明の効果】
【００１７】
　本発明に係る低圧水銀ランプによれば、発光管の少なくとも一方の端部を受入口から受け入れた状態で当該発光管を保持する保持部材を備え、前記発光管の少なくとも一方の端部寄り部分は、その端部まで旋回軸廻りに旋回されており、前記保持部材は、発光管の組付け時において、前記発光管を前記旋回軸廻りに回転させたときに、前記少なくとも一方の端部を前記受入口まで案内規制する案内規制部を備えているため、発光管の端部を案内規制部に当接させた状態で、発光管を旋回軸廻りに回転させると、発光管の保持部材への組付けが容易にできる。さらに、発光管の端部を案内部に当接させて回転させれば、発光管は保持部材内に受け入れられるので、この工程を自動化することも可能となる。
【００１８】
　また、本発明に係る低圧水銀ランプの組立て方法によれば、少なくとも一方の端部寄り部分が旋回軸廻りに旋回する発光管と、前記少なくとも一方の端部を案内規制部に沿って受入口から受け入れて保持する保持部材とを備える低圧水銀ランプの組立て方法であって、前記発光管の少なくとも一方の端部の前記保持部材への組付けは、前記少なくとも一方の端部寄り部分の周面と保持部材の案内規制部とを当接させる工程と、前記当接した状態で前記発光管を前記受入口に対して前記旋回軸廻りに相対的に回転させる工程とを経てなされるため、発光管の保持部材への組付けが容易にできる。さらに、発光管の端部寄り部分の周面を案内部に当接させて回転させれば、発光管は保持部材内に受け入れられるので、この工程を自動化することも可能となる。
【発明を実施するための最良の形態】
【００１９】
　以下、本発明を低圧水銀ランプである電球形蛍光ランプに適用した実施の形態について、図面を参照しながら説明する。
＜第１の実施の形態＞
　１．電球形蛍光ランプの構成について
　（１）全体構成について
　図１は、第１の実施の形態に係る電球形蛍光ランプの略半分を切り欠いた全体構造を示す正面図である。この電球形蛍光ランプ１は、白熱電球６０Ｗの代替用である１２Ｗ品種である。なお、６０Ｗ用の白熱電球の大きさは、最大外径が６０ｍｍ、全長が１１０ｍｍである。
【００２０】
　電球形蛍光ランプ１は、同図に示すように、２重螺旋形状の発光管２と、この発光管２を点灯させるための電子安定器３と、電子安定器３を収納し且つ口金５を有するケース４とを備えている。
【００２１】
　図２は、発光管の一部を切り欠いた構造を示す正面図である。
【００２２】
　発光管２は、図１及び図２に示すように、１つのガラス管９を湾曲させたものを利用している。ガラス管９は、その略中央の折り返し部９１で折り返され、折り返し部９１から端部９２、９３までが旋回軸Ａの廻りを旋回している。なお、ガラス管９の折り返し部９１から各端部９２、９３に向けて旋回軸Aの廻りを旋回している方向を、以下、「旋回方向」という。
【００２３】
　なお、折り返し部９１と、折り返し部９１から旋回方向に沿って各端部９２、９３に移ったときの各端部９２，９３の手前部分との間のガラス管は、旋回軸Ａに対して角度α（以下、この角度を「螺旋角度」といい、本実施の形態では７５°である。）傾斜しながら旋回し、また、前記端部９２，９３の手前部分と各端部９２，９３との間のガラス管（以下、この間のガラス管を、「ガラス管の端部寄り部分」という。）は、旋回軸Ａに対して螺旋角度β（本実施の形態では約６８°である。）傾斜しながら旋回している。なお、端部寄り部分は、実施の形態では、平面視したときに、ガラス管の端部から１／４周程度折り返し部９１側に戻った位置までの範囲としている。
【００２４】
　このようにガラス管の端部寄り部分での旋回角度を変更しているのは、ガラス管９の端部寄り部分と、当該端部寄り部分が旋回軸Ａと平行な方向（この方向を、以下、単に、「旋回軸方向」という。）に隣合うガラス管９との間隔を拡げ、発光管を後述するホルダーに組付けやすくするためである。
【００２５】
　このガラス管９は、その管内径が７．４ｍｍ、管外径が９．０ｍｍで、ガラス管９における端部寄り部分を除いた部分における旋回軸方向に隣接するガラス管の隙間は、約１ｍｍで、端部９２，９３と当該端部に隣接するガラス管との隙間は、最大約６ｍｍである。また、ガラス管９における折り返し部９１から両端部９２、９３までをあわせると、旋回軸Ａの廻りを略４．５周旋回している。なお、２重螺旋形状の発光管２の全長は６０ｍｍであり、最大外径が３７ｍｍである。
【００２６】
　ガラス管９の端部９３の内部には、図２に示すように、電極８が封着されている。この電極８には、例えば、タングステン製のコイル電極が用いられている。コイル電極は、ビーズガラス８２により仮止めされた一対のリード線８ａ、８ｂに支持（所謂、ビーズガラスマウント方式である。）されている。
【００２７】
　なお、他方のガラス管９の端部９２にも電極が封着されているが、その図示は省略し、端部９２からは図示省略のコイル電極に接続されたリード線７ａ、７ｂが導出している。
【００２８】
　ガラス管９の一方の端部（ここでは、９３）には、図２に示すように、ガラス管９の内部を排気するための排気管８５が電極８の装着時に併せて封着されている。なお、ガラス管９内の電極間距離は４００ｍｍである。
【００２９】
　ガラス管９の内面には、希土類の蛍光体９５が塗布されている。この蛍光体９５には、赤、緑、青発光の３種類で、例えばＹ2Ｏ3：Ｅｕ、ＬａＰＯ4：Ｃｅ、Ｔｂ及びＢａＭｇ2Ａｌ16Ｏ27：Ｅｕ、Ｍｎ蛍光体を混合したものが用いられる。
【００３０】
　また、ガラス管９の内部には、水銀が単体形態で約５ｍｇ封入され、また緩衝ガスとしてアルゴン・ネオンガスの混合ガス（この混合ガスにおけるネオンの容量比率は略２５％である）が、上記の排気管８５を介して４００Ｐａで封入されている。
【００３１】
　ここで、ガラス管９の内面に蛍光体９５が塗布されたり、希ガスが封入されたりして完成したものが発光管２であり、以下、「発光管２」を使って説明する際には、ガラス管の端部９２、９３に相当する部分を、以下、発光管２の端部９２、９３とし、また、ガラス管９の端部９２の端部寄り部分を、以下、発光管２の端部寄り部分９２ａといい、ガラス管９の端部９３の端部寄り部分を、以下、発光管２の端部寄り部分９３ａということにする。
【００３２】
　この発光管２は、図１に示すように、その端部９２、９３がホルダー６内に挿入されて、例えばシリコンの接着剤（図示省略）によりホルダー６に固着されている。なお、ホルダー６については後で詳細に説明する。
【００３３】
　ホルダー６の裏側（口金５側）には、図１に示すように、基板３１が取り付けられており、この基板３１に発光管２を点灯させるための複数の電気部品３２、３３等が実装されている。なお、これらの電気部品３２、３３等により電子安定器３が構成される。
【００３４】
　ケース４は、合成樹脂製であって、上拡がりの筒状をしている。発光管２及び基板３１を装着したホルダー６は、電子安定器３側（下側）からケース４内に挿入されて固定される。ケース４の下部、つまり開口部と反対側には、口金５（例えば、Ｅ２６用）が装着されている。なお、図１では、口金５と電子安定器３との電気的な接続の図示は省略している。
【００３５】
　また、口金５はねじ込み式であって、その中心軸と、発光管２の旋回軸Ａとは略一致しており、この軸を、以下「ランプの中心軸」ということもある。
【００３６】
　（２）ホルダーの構成について
　図３は、ホルダーを斜め上方から見た斜視図である。また、図４は、発光管を装着したホルダーを表側から見た斜視図であり、図５は、発光管を装着したホルダーを裏側から見た斜視図である。
【００３７】
　ホルダー６は、図３〜図５に示すように、有底筒形状あって、底壁６１と周壁６２とを有している。底壁６１には、発光管２の端部９２、９３を内部に受け入れるための受入口６３、６４が２個設けられている。この受入口６３、６４からホルダー６内に受け入れられた発光管２の端部９２、９３は、図５に示すように、シリコン等の接着剤６５により固着される。これにより発光管２がホルダー６に保持されることになる。
【００３８】
　ここで、発光管２の端部９２，９３が受入口６３，６４を介してホルダー６の内部に受け入れられる際に、端部９２，９３が移動する方向（軌道上）から受入口６３，６４を正面に見たときに、端部９２，９３が移動する方向であって受入口に達していない領域を、「受入口の上流側」とし、逆に、受入口を超えた領域を、「受入口の下流側」とする。
【００３９】
　なお、底壁６１は、図３に示すように、周壁６２の中心軸Ｂ（以下、この軸を「ホルダー６の中心軸Ｂ」という。）と略直交し、底壁６１の中心Ｏ２を前記ホルダー６の中心軸Ｂが通っている。また、発光管２は、ホルダー６の中心軸Ｂと発光管２の旋回軸Ａとが略一致する状態でホルダー６に保持される。
【００４０】
　受入口６３、６４は、図３に示すように、発光管２の端部９２、９３が入るように、端部９２、９３の外観形状に対応した円形状であり、受入口６３，６４が形成されている面が底壁６１に対して直交するように形成されている。
【００４１】
　円形状の受入口６３、６４の中心Ｏ３、Ｏ４の位置は、ホルダー６の中心軸Ｂに発光管２の旋回軸Ａを一致させた状態で発光管２を旋回軸Ａの廻りを旋回方向（図３では右方向）に回転させたときに、発光管２の端部９２、９３の中心が描く平面視上の軌道Ｘ上にある。
【００４２】
　つまり、受入口６３、６４の中心Ｏ３、Ｏ４を結ぶ距離（図３における直径Ｄ２に対応する）と、発光管２を構成するガラス管９の管軸が旋回軸Ａ廻りを旋回するその直径（図２におけるＤ１に対応する）とが等しくなっている。
【００４３】
　受入口６３、６４の中心Ｏ３、Ｏ４に位置は、底壁６１の厚み方向の略中央であって底壁の表面と平行な面内にあり、受入口６３、６４の上半分の周縁が底壁６１から略半円状に隆起し、また下半分の周縁が底壁６１から略半円状に凹入している。
【００４４】
　受入口６３、６４の上流側には、発光管２の端部９２、９３がホルダー６内に受け入れられる際に、発光管２の端部寄り部分９２ａ、９３ａに当接すると共に、発光管２を旋回軸Ａの廻りを旋回方向に回転させたときに、発光管２の端部９２、９３を受入口６３、６４にまで案内規制する案内溝６６、６７が形成されている。なお、この案内溝６６、６７が本発明の案内規制部に相当する。
【００４５】
　つまり、案内溝６６、６７は、螺旋形状に湾曲する端部寄り部分９２ａ、９３ａの外周に対応して、旋回方向に沿って形成され、受入口６３、６４の下半分の周縁に連続している。具体的には、案内溝６６、６７の横断面における底面の形状が、発光管２の端部寄り部分９２ａ、９３ａの案内溝６６、６７側の形状に対応して、略半円状に凹入して、発光管２の端部寄り部分９２ａ、９３ａの外周面に当接するようになっている。なお、案内溝６６、６７の底面を、以下、「当接面６６ａ、６７ａ」という。この当接面６６ａ、６７ａは、その凹入量（深さ）が受入口６３、６４に近づくに従って大きくなっている。
【００４６】
　すなわち、案内溝６６、６７における当接面６６ａ、６７ａも、発光管２の端部寄り部分９２ａ、９３ａに合せて、ホルダー６の中心軸Ｂに対して螺旋角度β傾斜しながら中心軸Ｂの廻りを旋回するように形成されているのである。
【００４７】
　一方、受入口６３、６４の下流側には、ホルダー６内に受け入れられた発光管２の端部９２、９３及び端部寄り部分９２ａ、９３ａを覆うカバー部６８、６９が形成されている。カバー部６８、６９は、図３に示すように、受入口６３、６４の上半分の周縁から始まって、発光管２の端部寄り部分９２ａ、９３ａの旋回方向に沿うトンネル状に形成されている。
【００４８】
　具体的には、カバー部６８、６９の横断面において発光管２の端部寄り部分９２ａ、９３ａを覆う面が、発光管２の端部寄り部分９２ａ、９３ａの横断面におけるカバー部６８、６９側（上側）半分の外周形状に対応して半円状に隆起すると共に、その隆起量（高さ）が受入口６３、６４から離れるに従って小さくなっている。
【００４９】
　２．電球形蛍光ランプの組立て工程について
　上記構成の電球形蛍光ランプ１の組立て工程、特に、発光管２をホルダー６に組付ける工程について説明する。図６は、発光管２が受入口６３、６４からホルダー６内に受け入れられる工程を説明する説明図である。
【００５０】
　まず、２重螺旋形状の発光管２と、これを保持するためのホルダー６とを準備し、ホルダー６の中心軸Ｂと発光管２の旋回軸Ａとを略一致させ、発光管２の端部９２、９３が、平面視（中心軸B方向から見たとき）において、受入口６３、６４の上流側の案内溝６６、６７上となるように位置合わせした後、図６の（ａ）の矢印で示すように、発光管２をホルダー６の中心軸Ｂに沿ってホルダー６に近づけ、発光管２の端部寄り部分９２ａ、９３ａをホルダー６の案内溝６６、６７上に載置する。
【００５１】
　このとき、案内溝６６、６７は、発光管２の端部寄り部分９２ａ、９３ａにおける案内溝６６、６７側（下側）の外周面に当接し、しかも、この当接面６６ａ、６７ａは、発光管２の端部寄り部分９２ａ、９３ａの案内溝６６、６７側半分と同じ形状をしているので、発光管２は案内溝６６、６７上に安定した状態で載置される。
【００５２】
　また、案内溝６６、６７は、受入口６３、６４の上流側で、受入口６３、６４からホルダー６の中心軸Ｂ廻りに略１／５周分旋回した位置までの範囲Ｃ（図３参照）にわたって広く形成されているので、発光管２を容易に案内溝６６、６７上に載置できる。
【００５３】
　次に、ホルダー６上に発光管２を載置した状態で、図６の（ｂ）の矢印で示すように、発光管２を旋回軸Ａの廻りを旋回方向に回転させると、発光管２の端部９２、９３は、案内溝６６、６７により案内規制されながら受入口６３、６４へと近づき、やがて、図６の（ｃ）に示すように、受入口６３、６４からホルダー６内へと挿入していく。
【００５４】
　このとき、案内溝６６、６７が、発光管２の端部寄り部分９２ａ、９３ａの旋回方向に沿って受入口６３、６４まで連続して形成されているので、発光管２の旋回軸Ａとホルダー６の中心軸Ｂとを略一致させた状態で、発光管２を旋回軸Ａの廻りに単に回転させるだけで、案内溝６６、６７上に載置された発光管２の姿勢が崩れることなく、発光管２の端部９２、９３が、受入口６３、６４まで案内されると共に受入口６３、６４からホルダー６内へとスムーズに受け入れられる。これにより従来の、発光管の端部がホルダー９０６の受入口９６３、９６４に挿入し難かったという問題はなくなる。
【００５５】
　また、上述したように、発光管２の端部寄り部分９２ａ、９３ａをホルダー６の案内溝６６、６７に載置した後、発光管２を旋回軸Ａ廻りに回転させれば、発光管２の端部９２、９３が受入口６３、６４からホルダー６内に挿入するので、この工程を自動化することもできる。
【００５６】
　さらに、上記構成のホルダー６に発光管２を組付けた電球形蛍光ランプ１は、ホルダー６内に受け入れられた発光管２の端部寄り部分９２ａ、９３ａはカバー部６８、６９で覆われているので、発光管２の端部９２、９３にある電極等を封着した部分を隠すことができる。
【００５７】
　３．その他
　（１）カバー部について
　上記の実施の形態では、ホルダー６の受入口６３、６４の下流側にカバー部６８、６９が形成されているが、発光管２を受入口６３、６４からホルダー６内に受け入れるには、受入口６３、６４の上流側に案内溝６６、６７が形成されていれば良いので、カバー部６８、６９を備えていなくても良い。
【００５８】
　図７は、カバー部を有していないホルダーを示す斜視図である。
【００５９】
　ホルダー１０６は、同図に示すように、受入口１６３、１６４と案内溝１６６、１６７とを底壁１６１に備えている。案内溝１６６、１６７は、第１の実施の形態における案内溝６６、６７と同じ構成を有している。受入口１６３、１６４の周縁は、第１の実施の形態におけるカバー部６８、６９を取り除いて底壁１６１に形成された開口周縁と、第１の実施の形態と同様な案内溝６６、６７の下流側の端部に形成されている受入口６３，６４の下側半分の開口周縁とからなる。
【００６０】
　このホルダー１０６は、カバー部（６８、６９）を有していないため、底壁１６１の凹凸を少なくでき、特に意匠性を高めることができる。但し、この場合、発光管２の端部９２、９３は、その電極封着部分が隠れる程度にホルダー１０６内に受け入れられる必要がある。
【００６１】
　（２）案内溝について
　・横断面の形状について
　第１の実施の形態では、案内溝６６、６７は、発光管２の端部寄り部分９２ａ、９３ａの案内溝６６、６７側半分の周面と当接し、発光管２の組付けの際に発光管２を回転させたときに、発光管２が旋回軸Ａに直交する方向（横方向）にずれないように規制している。しかしながら、案内溝６６、６７は、発光管２を回転させたときに旋回軸Ａに直交する方向へのずれを規制できれば、案内溝６６、６７が発光管２の端部寄り部分９２ａ、９３ａの案内溝６６、６７側半分の略全体に当接する必要はない。
【００６２】
　例えば、案内溝６６、６７の横断面における溝形状が、凹状、「Ｖ」の字状、さらに、発光管２の端部寄り部分９２ａ、９３ａの横断面における旋回軸Ａ方向のホルダー６側部分の一部と同じ形状を含む円弧状等であっても、案内溝６６、６７は発光管２の端部９２、９３を受入口６３、６４へと案内できる。
【００６３】
　・縦断面の形状について
　第１の実施の形態では、案内溝６６、６７は、発光管２の端部寄り部分９２ａ、９３ａに沿って旋回方向に連続する当接面６６ａ、６７ａを有し、発光管２を旋回軸Ａ廻りに回転させたときに、発光管２の端部９２、９３の動きを規制しながら旋回方向に沿って受入口６３、６４に案内するようになっている。
【００６４】
　しかしながら、案内溝６６、６７は、ホルダー６内に受け入れられる前の発光管２を安定した状態で支持でき、発光管２を旋回軸Ａ廻りに回転させたときに、発光管２の端部９２、９３を規制しながら旋回方向に沿って受入口６３、６４に案内できれば、旋回方向に連続する当接面を有する必要はない。
【００６５】
　このような例としては、ホルダー６内に挿入される前の状態（案内溝６６、６７上に載置された状態）における発光管２の端部寄り部分９２ａ、９３ａの周面に旋回方向に沿って少なくとも２箇所以上で当接するようにし、しかも、発光管２を回転させても、発光管２の端部寄り部分９２ａ、９３ａの周面に常に２箇所以上で当接するようにしておけば、当接面を旋回方向に不連続に設けても良い。
【００６６】
　具体的な例としては、発光管２の端部寄り部分９２ａ、９３ａにおける横断面に沿って当接する当接部を旋回方向に間隔をおいて形成することが考えられる。このような場合も、上記の連続した当接面６６ａ、６７ａと同様の効果を得ることができる。
【００６７】
　（３）受入口について
　第１の実施の形態では、ホルダー６の底壁６１に形成される受入口６３、６４は、発光管２の端部９２、９３の断面形状に合わせて円形状をしているが、発光管２の横断面における外観形状が他の形状になった場合は、その形状に合わせた受入口６３、６４を形成することが好ましい。
【００６８】
　しかしながら、受入口６３、６４の形状は、発光管２の端部９２、９３がホルダー６内に挿入できる形状であれば、発光管２の端部９２、９３の横断面における外観形状と一致させなくても良い。
【００６９】
　具体的な例としては、発光管２の端部９２、９３及び端部寄り部分９２ａ、９３ａの横断面の外周形状が円形状で、受入口が発光管２の横断面における円形状の直径を一辺とした略正方形状をしている場合などがあげられる。
【００７０】
　但し、この場合、正方形状の受入口の隅と、発光管２の端部寄り部分９２ａ、９３ａの外周面との間に必要以上の隙間ができるため、この隙間から、発光管２の端部９２、９３をホルダー６に固着する際の接着剤６５が流出する可能性がある。
【００７１】
　また、受入口６３、６４が形成されている仮想面は、底壁６１に対して直交すると共にホルダー６の中心軸Ｂを通っているが、例えば、受入口６３、６４が形成されている仮想面がホルダー６の中心軸Ｂを通らなくても良い。このような例としては、受入口６３、６４のある面を半径方向に対して所定の角度を有する斜め状にしても良い。
【００７２】
　さらに、受入口６３、６４の中心は、底壁６１の厚み方向の略中央でその表面と略平行な面内にあるが、受入口の中心の中心軸Ｂ方向の位置は、受入口６３、６４と案内溝６６、６７とが発光管２の端部寄り部分９２ａ、９３ａにおける螺旋形状に沿っておれば、底壁６１と一致させる必要はなく、例えば、受入口６３、６４は、その全体が、底壁６１から張り出していても良く、逆に底壁６１に埋もれていても良い。
【００７３】
　＜第２の実施の形態＞
　本発明者らは、まず、発光管２の端部９２、９３を内部に容易に受け入れできるホルダー６及び発光管のホルダー６への組付け方法について検討した。その結果、第１の実施の形態で説明したような、ホルダー６の受入口６３、６４の上流側に案内溝６６、６７を形成することで、発光管２の端部９２、９３をホルダー６内に容易に受け入れできるようになった。
【００７４】
　しかしながら、次に、発光管２の端部９２、９３から電極用のリード線７ａ、７ｂ、８ａ、８ｂを導出したものを用いて、第１の実施の形態で説明したホルダー６内に挿入しようとすると、リード線７ａ、７ｂ、８ａ、８ｂがホルダー６の受入口６３、６４にスムーズに入らないことが判明した。
【００７５】
　そこで、本発明者らは、発光管の端部から電極用のリード線が導出していても、ホルダー内に発光管の端部を容易に挿入できるホルダーの検討及び発光管のホルダーへの組付け方法について、まず予備検討を行った。その結果、リード線を発光管の旋回軸と平行な方向に曲げて旋回軸方向から受入口へと挿入すると、リード線が受入口に比較的容易に入ることが分かった。
【００７６】
　１．ホルダーの構成について
　図８は、電極用のリード線を容易に内部に挿入できるホルダーを示す斜視図である。このホルダー２０６は、上記の予備検討の結果に基づいて考え出されたものであり、このホルダー２０６の特徴は、発光管２０２を組付ける際に、ホルダー２０６の中心軸Ｂと略平行な状態にあるリード線２０７ａ、２０７ｂ、２０８ａ、２０８ｂ（図９参照）を受け入れやすくするために、リード線２０７ａ、２０７ｂ、２０８ａ、２０８ｂが中心軸Bと平行な方向に通過すべく、平面視において開口ができるように受入口２６３、２６４を形成したものである。
【００７７】
　ホルダー２０６の受入口２６３、２６４は、その上部側が下流側へと開くように傾斜している。具体的には、受入口２６３、２６４が形成されている仮想面は、ホルダー２０６の中心軸Ｂに対して角度γ、例えば４０°で傾斜しており、平面視したときに、カバー部２６８、２６９と案内溝２６６、２６７との間に開口ができている。
【００７８】
　２．組付け工程について
　図９は、電極用のリード線を有する発光管をホルダーに組付ける工程を説明するための図である。まず、図９の（ａ）の実線で示す、発光管２０２の端部２９３（、２９４）から導出されたリード線２０７ａ、２０７ｂ、２０８ａ、２０８ｂを、図９の（ａ）の仮想線で示すように、発光管２０２の端部２９３（、２９４）に近い位置で発光管２０２の旋回軸方向と平行な方向であって折り返し部９１と反対側へと曲げる。
【００７９】
　次に、ホルダー２０６の中心軸Ｂと発光管２０２の旋回軸Ａとを略一致させると共に、平面視において、各リード線２０７ａ、２０７ｂ、２０８ａ、２０８ｂがホルダー２０６のカバー部２６８、２６９と案内溝２６６、２６７との間の開口に入るように位置合わせする。そして、発光管２０２を、上記の位置に合わせした状態を維持しつつ、図９の（ｂ）の矢印で示す方向、つまり旋回軸Ａ方向に沿ってホルダー２０６に近づける。
【００８０】
　このとき、旋回軸Ａと略平行な状態に曲げられたリード線２０７ａ、２０７ｂ、２０８ａ、２０８ｂを、図９の（ｂ）に示すように、カバー部２６８、２６９と案内溝２６６、２６７との間の開口を通ってホルダー２０６内に容易に受け入れることができるのである。
【００８１】
　そして、発光管２０２は引き続きホルダー２０６に近づけられ、やがて発光管２０２の端部寄り部分２９３ａ（、２９４ａ）がホルダー２０６の案内溝２６６、２６７上に載置される。これ以降の工程は、第１の実施の形態で説明した組立て工程と同じである。
【００８２】
　３．その他
　（１）受入口の傾きについて
　上記第２の実施の形態における１．で説明したホルダー２０６の構成では、受入口２６３、２６４は、図８に示すように、ホルダー２０６の中心軸Ｂに対して４０°の角度（図中のβ）で傾斜しているが、４０°に限定するものではない。この角度γは、９０°未満であれば、特に限定する必要はないが、２０°以上で６０°以下の範囲が好ましい。
【００８３】
　これは、角度γが２０°未満であれば、カバー部２６８、２６９と案内溝２６６、２６７との間にできる開口が小さくなり、この開口からリード線２０７ａ、２０７ｂ、２０８ａ、２０８ｂをホルダー２０６内に挿入させるの困難に成るからである。
【００８４】
　逆に、角度γが６０°より大きいと、発光管２０２の端部２９３、２９４をホルダー２０６に固着する際に、固着に使用した接着剤が受入口２６３、２６４から流出する可能性があるからである。
【００８５】
　また、受入口２６３、２６４は、その上半分（カバー部２６８、２６９の端縁）と下半分（案内溝２６６、２６７の端縁）との両方が同じ角度で傾斜しているが、例えば、受入口の上半分と下半分のどちらか一方を傾斜させるようにしても良いし、上半分と下半分との傾斜角度が異なるようにしても良い。
【００８６】
　（２）第２の実施の形態における変形例
　第２の実施の形態では、リード線２０７ａ、２０７ｂ、２０８ａ、２０８ｂを受入口２６３、２６４から内部に受け入れやすくするために、受入口２６３、２６４を傾斜させてカバー部２６８、２６９と案内溝２６６、２６７との間に、平面視したときに開口ができるようにしていたが、他の構成によりカバー部２６８、２６９と案内溝２６６、２６７との間に開口を形成しても良い。
【００８７】
　図１０は、受入口の周辺に切欠き部が形成されたホルダーの斜視図である。ホルダー２０６は、同図に示すように、平面視における受入口２６３、２６４が広くなる（上記開口ができる）ように切欠部２７０ａ、２７０ｂ、２７１ａ、２７１ｂがカバー部２６８、２６９及び案内溝２６６、２６７に形成されている。このホルダー２０６についても、第２の実施の形態と同様に、発光管２０２をホルダー２０６に組付ける際に、リード線（２０７ａ、２０７ｂ、２０８ａ、２０８ｂ）を発光管２０２の旋回軸Ａと平行に折り曲げておれば、発光管２０２の端部２９３、２９４から導出するリード線２０７ａ、２０７ｂ、２０８ａ、２０８ｂをホルダー２０６内に容易に受け入れることができる。
【００８８】
　また、切欠き部２７０ａ、２７０ｂ、２７１ａ、２７１ｂは、カバー部２６８、２６９と案内溝２６６、２６７との両方に形成されているが、例えば、カバー部２６８、２６９と案内溝２６６、２６７のどちらか一方に形成されていれば良い。但し、この場合切欠き部の面積を、カバー部２６８、２６９と案内溝２６６、２６７との両方に形成された切欠き部２７０ａ、２７０ｂ、２７１ａ、２７１ｂの面積の和と同じ程度確保した方が、リード線２０７ａ、２０７ｂ、２０８ａ、２０８ｂをホルダー２０６内に受け入れやすくなるのは言うまでもない。
【００８９】
　切欠き部２７０ａ、２７０ｂ、２７１ａ、２７１ｂの形状は、図１０では平面視において円弧形状になるようにしているが、他の形状、例えば、「Ｖ」の字状、凹状でもあっても良い。
【００９０】
　さらに、切欠き部２７０ａ、２７０ｂ、２７１ａ、２７１ｂの代わりにスリットを形成しても、上記の切欠き部を形成したものよりは入れ難くはなるが、同様の効果を得ることができる。
【００９１】
　また、第２の実施の形態と上記の例とを組み合わせても良い。例えば、受入口２６３、２６４の内、カバー部２６８、２６９側の周縁をホルダー２０６の中心軸Ｂに対して傾斜させて、案内溝２６６、２６７に切欠き部２７０ｂ、２７１ｂを形成しても良い。
【００９２】
　＜第３の実施の形態＞
　本発明者らは、まず、発光管の端部をホルダー内に容易に挿入でき（第１の実施の形態）、しかも、発光管２０２の端部２９３、２９４から導出されたリード線２０７ａ、２０７ｂ、２０８ａ、２０８ｂをスムーズに内部に挿入できる（第２の実施の形態）ようなホルダー２０６及び発光管２０２のホルダー２０６への組付け方法について検討した。
【００９３】
　その結果、発明者らは、第１及び第２の実施の形態で説明したような、ホルダー６の受入口６３、６４の上流側に案内溝６６、６７を形成し、また平面視における受入口２６３、２６４の開口を大きくした。
【００９４】
　しかしながら、ホルダー２０６内に挿入された発光管２０２の端部を接着剤でホルダー２０６に固着する際に、ホルダー２０６と発光管２０２の端部及び端部寄り部分との間に接着剤を充分に注入できないという新たな課題が生じた。
【００９５】
　図１１は、ホルダーと発光管との固着部に接着剤を充分に注入できるホルダーを示す斜視図である。本実施の形態におけるホルダー３０６は、同図に示すように、発光管の端部寄り部分と、案内溝３６６、３６７の底面（発光管と固着する面）との間に接着剤を注入するための注入孔３８０を案内溝３６６、３６７の底部３６６ａ、３６７ａに複数、例えば３個備えている。
【００９６】
　なお、図１１ではホルダー３０６の上下が反転しているため、案内溝３６６、３６７が山状となっている。また、案内溝３６７側の注入孔は、周壁３６２に隠れているため、図示されていない。
【００９７】
　この構成によると、案内溝３６６、３６７の底面と、これに当接する又は対向する発光管の端部寄り部分側の外周面との間に、案内溝３６６、３６７の底部３６６ａ、３６７ａに形成された注入孔３８０から接着剤が確実に注入される。これにより、発光管と案内溝３６６、３６７の底面とを強固且つ確実に固着できる。
【００９８】
　また、注入孔３８０を、ホルダー３０６の案内溝３６６、３６７の底部３６６ａ、３６７ａで発光管の端部寄り部分の旋回方向に沿って３個設けているので、案内溝３６６、３６７と発光管とが当接する又は対向する部分に接着剤を略均等に充填させることができる。
【００９９】
　これにより、接着剤の注入量を最適化できる。しかも、注入孔３８０は案内溝３６６、３６７の底部３６６ａ、３６７ａにあるため、発光管がホルダー３０６に固着された状態では、外側から見えることはなく、意匠性が劣るというようなこともない。
【０１００】
　図１２も、上記課題を解決することができるホルダーを示す斜視図である。このホルダー３０６は、その内部に受け入れられた発光管の端部周辺に注入された接着剤の流出を防ぐための包囲壁３８１、３８２を備えている。この包囲壁３８１、３８２は、ホルダー３０６内の発光管の端部及び端部寄り部分を囲むように底壁３６１の裏面に形成されている。
【０１０１】
　これにより、発光管の端部周辺に注入された接着剤は、底壁３６１の裏面中央への流出が阻止されて、包囲壁３８１、３８２でせき止められた接着剤により発光管の端部及び端部寄り部分がホルダー３０６に確実に固着される。
【０１０２】
　また、包囲壁３８１、３８２は、発光管の端部及び端部寄り部分に沿ってその周囲に形成されているので、発光管と包囲壁３８１、３８２とが接着剤を介して固着することになり、発光管とホルダー３０６とをより強固に固着できる。
【０１０３】
　なお、包囲壁３８１、３８２は、発光管の端部がホルダー３０６内に受け入れられたときに、その発光管の端面に当接して発光管の受け入れを規制する機能も有している。これにより、発光管の受入長さを略一定にすることができる。また、この機能は、包囲壁３８１、３８２内に接着剤を注入しない場合でも規制壁として充分使用することができる。
【０１０４】
　＜第４の実施の形態＞
　本発明者らは、第１から第３の実施の形態で説明したホルダー６、２０６、３０６を用いることにより、発光管のホルダーへの組付けが容易になり、さらに発光管とホルダーとを強固に固着できるようになった。
【０１０５】
　しかしながら、電子安定器が実装された基板をホルダーに装着し、発光管の端部から導出されたリード線を基板の口金側の面に接続したときに、リード線がホルダー内で交差したり絡んだりするなどの課題が生じた。
【０１０６】
　本発明者らは、リード線を保持する保持部をホルダーに形成して、上記課題を解決した。以下、保持部の構成について説明する。
【０１０７】
　図１３は、保持部を有するホルダーを示す斜視図である。本ホルダー４０６は、同図に示すように、底壁４６１の裏面であって、内部に受け入れられた発光管の各端部近傍に、リード線を保持する保持部４９１、４９２を有している。
【０１０８】
　この保持部４９１、４９２は、底壁４６１の裏面に形成された保持台４９１ａ、４９２ａと、この保持台４９１ａ、４９２ａに一対のリード線を保持するための保持スリット４９１ｂ、４９２ｂとがそれぞれ一対づつ形成されている。
【０１０９】
　なお、各保持台４９１ａ、４９２ａに形成された一対の保持スリット４９１ｂ、４９２ｂのそれぞれは、一対のリード線を離間させて保持するように互いに間隔をおいて形成されている。
【０１１０】
　このホルダー４０６に基板を装着する場合には、まず、ホルダー４０６に固着された発光管の端部から導出する一対のリード線がホルダー６内で交差したり、絡んだりしないようにして、保持部４９１、４９２の保持スリット４９１ｂ、４９２ｂにリード線を挿嵌させる。
【０１１１】
　そして、保持スリット４９１ｂ、４９２ｂに保持されたリード線は、ホルダー４０６内で交差及び絡まないようにホルダー４０６の外側に導出させた後、電子安定器が装着されている基板を、例えば周壁４６２に取り付ける。
【０１１２】
　これにより、リード線同士がホルダー４０６内で絡むことも無くなり、更に、発光管の各端部から導出されている一対のリード線は、互いに間隔をおいて保持スリット４９１ｂ、４９２ｂに保持されているので、接触（短絡）することもなくなる。
【０１１３】
　なお、保持部４９１、４９２は、ホルダー４０６の底壁４６１の裏面に形成しなくても、他の部分に形成してもよい。この例としては、図１４に示すように、ホルダー４０６の周壁４６２に直接形成することが考えられる。各端部に対応する２個の保持部４９５、４９６は、周壁４６２に形成された一対の保持スリット４９５ａ、４９６ａからなると共に、互いに間隔をおいて、例えば、ホルダー４０６の中心軸を挟んで対向する位置に形成されている。
【０１１４】
　（変形例）
　以上、本発明を各実施の形態に基づいて説明したが、本発明の内容が、上記の各実施の形態に示された具体例に限定されないことは勿論であり、例えば以下のような変形例を実施することができる。
【０１１５】
　１．保持部材について
　上記の各実施の形態では、保持部材は、底壁と周壁とを一体に備えていたが、例えば、底壁だけでも良い。この場合も、上記の各実施の形態と同様な、受入口、案内規制部、カバー部等が底壁に形成されていれば、同様の効果を得ることができる。
【０１１６】
　また、上記の各実施の形態では、発光管は、発光管の旋回軸と保持部材（ホルダー）の中心軸とが一致するように保持部材に保持されている。しかしながら、例えば発光管が保持部材に対して傾いて、つまり発光管の旋回軸が保持部材の中心軸に対して傾斜した状態で保持されていても良い。
【０１１７】
　この場合は、例えば、受入口、案内規制部、カバー部は、発光管の旋回軸に対して底壁の中心軸の傾きに合わせて保持部材の中心軸に対して傾斜することになる。このように発光管を傾斜させて保持する場合も、受入口、案内規制部、カバー部は、底壁の中心を通る発光管の旋回軸を基準にすれば、上記の各実施の形態と同じ位置関係となり、上記の実施の形態で説明したような効果を得ることができる。
【０１１８】
　さらに、実施の形態では、保持部材の中心軸と発光管の旋回軸とが同一線上で略一致しているが、両方の軸を一致させなくても良い。この場合、保持部材の受入口、案内部、カバー部等の位置は、発光管を装着する位置での旋回軸を基準にすれば、上記の実施の形態と同様の効果を得ることができる。
【０１１９】
　２．発光管の形状
　上記の各実施の形態では、２重螺旋形状の発光管を用いたが、他の形状の発光管を用いても良い。このような例としては、Ｕ形状に湾曲するガラス管を複数本、例えば、３本又は４本を連結させた３本Ｕ形又は４本Ｕ形がある。なお、この場合は、当然電極が装着されている端部寄り部分を所望の縦軸に対して旋回させる必要がある。
【０１２０】
　また、発光管の端部寄り部分は、その縦軸方向から見たときに、この縦軸（実施の形態における旋回軸）廻りを旋回する円弧形状をし、また縦軸と直交する方向から見たときに、縦軸に対して直交するような「Ｌ」の字状でもよい（つまり、螺旋角度が９０度の場合）。この場合は、保持部材の案内規制部（及びカバー部）を前記縦軸に対して直交する方向に形成すれば良い。或いは、底壁に発光管の端部寄り部分における外周部分に当接するガイド面を形成しても、発光管を縦軸廻りに回転させたときに発光管の端部を受入口へと案内規制できる。
【０１２１】
　さらに、発光管の端部寄り部分は、例えば、発光管の折り返し部から一方の端部までが旋回軸廻りに旋回していても良い。この場合も、保持部材は、発光管を前記の旋回軸廻りに旋回させたときの端部の軌道に沿って案内規制部を有していれば、上記の実施の形態と同様の効果を得ることができる。なお、発光管の端部寄り部分とは、発光管の端部からの寸法が、支持部材の案内規制部における旋回方向の寸法以上は必要と考えられる。
【０１２２】
　３．外管バルブについて
　上記の各実施の形態における電球形蛍光ランプは、発光管を覆う外管バルブを有していないが、本発明は外管バルブを有する電球形蛍光ランプにも適用できることは言うまでもない。
【０１２３】
　４．組付け工程
　上記の各実施の形態では、ホルダーを固定して発光管を旋回軸方向に移動させた後に、螺旋軸廻りに回転させているが、例えば、発光管を固定してホルダーを移動させても良く、また発光管とホルダーとの両方を移動させても良い。これらの場合にも、上記の各実施の形態と同様の効果を得ることができる。
【０１２４】
　５．その他
　本実施の形態では、白熱電球６０Ｗ相当品について説明したが、当然白熱電球４０Ｗ相当品、１００Ｗ相当品にも適用できる。
【０１２５】
　６．低圧水銀ランプ
　本発明に係る低圧水銀ランプは、上記の実施の形態では電球形蛍光ランプについて説明したが、他のランプ、例えば、図１５に示すような蛍光ランプ（コンパクトランプ）にも適用できる。
【０１２６】
　この蛍光ランプ５００は、ガラス管５２０の中央部（折り返し部）から両端まで螺旋状に旋回する２重螺旋形状をした発光管５１０と、この発光管５１０（ガラス管５２０の両端寄り部分）を保持する有底円筒状のホルダー５３０と、この保持部材５３０の周壁に被嵌するケース５４０と、発光管５１０を覆うグローブ５５０と、灯具のソケットに嵌合して電力の供給を受ける片口金５６０（例えば、ＧＸ１０ｑ型）とを備える。
【０１２７】
　上記実施の形態における電球形蛍光ランプ１とは、保持部材５３０とケース５４０とから形成される内部の空間に電子安定器を収納していない点、口金５６０の形状が一般電球に使用されているねじ込み口金でない点で大きく異なる。
【０１２８】
　ホルダー５３０は、上述の各実施の形態と同様に、受入口、案内溝、カバー部が底壁に形成されている。このような構成することで、各実施の形態と同様に、発光管５２０をホルダー５３０内に容易に挿入できる。
【産業上の利用可能性】
【０１２９】
　本発明に係る低圧水銀ランプは、発光管の端部を保持部材内に受け入れるために利用できる。
【図面の簡単な説明】
【０１３０】
【図１】本発明の第１の実施の形態における電球形蛍光ランプの右半分を切り欠いた全体構成を示す正面図である。
【図２】本発明の第１の実施の形態における発光管の一部を切り欠いた構成を示す正面図である。
【図３】本発明の第１の実施の形態におけるホルダーを斜め上方から見た斜視図である。
【図４】本発明の第１の実施の形態におけるホルダーに発光管を組付けた状態を斜め上方から見た斜視図である。
【図５】本発明の第１の実施の形態におけるホルダーに発光管を組付けた状態を上下に反転した斜め上方から見た斜視図である。
【図６】本発明の第１の実施の形態における発光管をホルダーに組付け工程を説明する図である。
【図７】本発明の第１の実施の形態におけるホルダーの変形例を示す斜視図である。
【図８】本発明の第２の実施の形態におけるホルダーを斜め上方から見た斜視図である。
【図９】本発明の第２の実施の形態における発光管をホルダーに組付け工程を説明する図である。
【図１０】本発明の第２の実施の形態におけるホルダーの変形例を示す斜視図である。
【図１１】本発明の第３の実施の形態におけるホルダーを上下反転させて斜め上方から見た斜視図である。
【図１２】本発明の第３の実施の形態におけるホルダーの変形例を示す斜視図である。
【図１３】本発明の第４の実施の形態におけるホルダーを上下反転させて斜め上方から見た斜視図である。
【図１４】本発明の第４の実施の形態におけるホルダーの変形例を示す斜視図である。
【図１５】本発明を蛍光ランプに適用させた例であって、ランプの一部を切り欠いた正面図である。
【図１６】従来技術におけるホルダーを斜め上方から見た斜視図である。
【符号の説明】
【０１３１】
　１　　　電球形蛍光ランプ
　２、２０２　　　発光管
　４　　　ケース
　５　　　口金
　６、２０６、３０６、４０６、５３０　　　ホルダー
　８　　　電極
　９　　　ガラス管
　６３、６４　　　受入口
　６６、６７　　　案内溝
　６８、６９　　　カバー部
　２６３、２６４　　　受入口
　２６６、２６７　　　案内溝
　２６８、２６９　　　カバー部
　２７０ａ、２７０ｂ、２７１ａ、２７１ｂ　　　切欠き部
　３６６、３６７　　　案内溝
　３８０　　　注入孔
　３８１　　　包囲壁
　４９１、４９２、４９５、４９６　　　保持部
　５００　　　蛍光ランプ
　Ａ　　　旋回軸
　Ｂ　　　中心軸
【図１】
2004071555.tif 000003
【図２】
2004071555.tif 000004
【図３】
2004071555.tif 000005
【図４】
2004071555.tif 000006
【図５】
2004071555.tif 000007
【図６】
2004071555.tif 000008
【図７】
2004071555.tif 000009
【図８】
2004071555.tif 000010
【図９】
2004071555.tif 000011
【図１０】
2004071555.tif 000012
【図１１】
2004071555.tif 000013
【図１２】
2004071555.tif 000014
【図１３】
2004071555.tif 000015
【図１４】
2004071555.tif 000016
【図１５】
2004071555.tif 000017
【図１６】
2004071555.tif 000018